(57)【要約】【課題】出力制御用のサイリスタのチップのカソード電極にボンディングする２本のワイヤ及びゲート電極にボンディングするワイヤとして同一のものを用いることができるようにして、生産能率を向上させたバッテリ充電制御装置を提供する。【解決手段】磁石式交流発電機の交流出力を直流出力に変換してバッテリに供給するコンバータ回路を構成するダイオードＤｕないしＤｗ及びＤｘないしＤｚと、サイリスタＴhuないしＴhwとをヒートシンクＨｕないしＨｗに取り付ける。サイリスタＴhuないしＴhwはアノード電極がヒートシンクに接合されたチップ型サイリスタからなる。各サイリスタのアノード電流を流すために２本のワイヤＷ2a，Ｗ2bを各サイリスタのカソード電極Ｋにボンディングする。また各サイリスタのゲート電極Ｇの面積を従来よりも拡大して、ワイヤＷ2a，Ｗ2bと同径のワイヤをゲート電極Ｇにボンディングすることができるようにする。【選択図】    図２
2006081314.tif 000002
【特許請求の範囲】
【請求項１】
一方の主面にアノード電極を有し、他方の主面にカソード電極とゲート電極とを有するチップ型のサイリスタを出力制御用の制御素子として備えていて、磁石式交流発電機から得られる交流出力を直流出力に変換してバッテリに供給するコンバータ回路と、前記バッテリの両端の電圧を設定値以下に保つように前記サイリスタを制御する制御部とを備え、前記コンバータ回路に設けられた各サイリスタのゲート電極にゲート信号入力用外部端子につながるゲート信号供給用ワイヤがボンディングされるとともに、各サイリスタのカソード電極上の複数のボンディング点にそれぞれ複数の主電流通電用ワイヤがボンディングされているバッテリ充電制御装置において、
各サイリスタのゲート電極は、前記主電流通電用ワイヤと径が同一のワイヤをボンディングし得る面積を有するように形成され、
各サイリスタのゲート電極にボンディングされたゲート信号供給用ワイヤは、各サイリスタのカソード電極にボンディングされた主電流通電用ワイヤと径が同一のワイヤからなっていること、
を特徴とするバッテリ充電制御装置。
【請求項２】
複数の主電流通電用ワイヤがボンディングされた各サイリスタのカソード電極上の複数のボンディング点は、各サイリスタのゲート電極からの距離が等しい位置に設定されていること、
を特徴とする請求項１に記載のバッテリ充電制御装置。
【請求項３】
各サイリスタのゲート電極は、各サイリスタのチップの他方の主面の中央に設けられ、各サイリスタのゲート電極を囲むように前記カソード電極が設けられていること、
を特徴とする請求項１または２に記載のバッテリ充電制御装置。
【発明の詳細な説明】
【技術分野】
【０００１】
本発明は、内燃機関等の原動機により駆動される磁石式交流発電機の出力でバッテリを充電するバッテリ充電制御装置に関するものである。
【背景技術】
【０００２】
内燃機関により車両等に搭載されるバッテリを充電するバッテリ充電制御装置は、例えば特許文献１に示されているように、機関により駆動される磁石式交流発電機から得られる交流出力を直流出力に変換してバッテリに供給するコンバータ回路と、バッテリの両端の電圧を設定値以下に保つようにコンバータ回路を制御する制御部とにより構成される。      
【０００３】
コンバータ回路としては、特許文献１に示されたように、磁石式交流発電機の出力を整流するダイオードブリッジ全波整流回路に、サイリスタを出力短絡用制御素子とした出力短絡式レギュレータ回路を付加した整流／レギュレータ回路がよく用いられる。またダイオードとサイリスタとの混合ブリッジ回路からなる制御整流回路が用いられることもある。
【０００４】
コンバータ回路として整流／レギュレータ回路が用いられる場合には、バッテリの両端の電圧を検出する電圧検出回路と、この電圧検出回路により検出された電圧が設定値を超えたときにサイリスタをオン状態にするサイリスタトリガ回路とにより制御部が構成される。
【０００５】
またコンバータ回路として制御整流回路が用いられる場合には、バッテリの両端の電圧を検出する電圧検出回路と、この電圧検出回路により検出される電圧を設定値以下に保つように制御整流回路のサイリスタの導通角を制御するサイリスタ制御回路とにより制御部が構成される。
【０００６】
バッテリ充電制御装置のコンバータ回路を構成するダイオード及びサイリスタとして、特許文献２に示されたようなチップ部品を用いる場合には、ダイオード及びサイリスタをそれぞれ構成するチップの一方の主面に形成された電極をヒートシンクに接合し、各チップの他の主面に形成された電極間、及び各チップの他の主面に形成された電極と外部端子との間をアルミ線などからなる配線用ボンディングワイヤにより接続している。
【０００７】
サイリスタを構成するチップとしては、特許文献２に示されているように、チップの一方の主面にアノード電極が、他方の主面にカソード電極とゲート電極とがそれぞれ形成されたものが用いられて、そのアノード電極がヒートシンクにはんだ付け等により接合され、各サイリスタのゲート電極にゲート信号入力用外部端子につながるワイヤがボンディングされる。またサイリスタを通して主電流（アノード電流）を流すために複数本のワイヤを必要とする場合には、各サイリスタを構成するチップの他方の主面に設けられたカソード電極上の複数のボンディング点にそれぞれ複数の主電流通電用ワイヤがボンディングされる。
【０００８】
図６は従来のバッテリ充電装置で用いられていたコンバータ回路の構成の一例を示したもので、同図（Ａ）はコンバータ回路の全体的な構成を示し、（Ｂ）はサイリスタチップの部分を拡大して示している。図６においてＤｕないしＤｗは３相ブリッジ全波整流回路のブリッジの上辺を構成するチップ型のダイオード、ＤｘないしＤｚは３相ブリッジ全波整流回路のブリッジの下辺を構成するチップ型のダイオード、ＴhuないしＴhwは出力短絡用のチップ型サイリスタである。
【０００９】
各ダイオードは、チップの一方の主面及び他方の主面にそれぞれアノード電極ａ及びカソード電極ｋを有していて、ダイオードＤｕないしＤｗはそれぞれのアノード電極がヒートシンクＨｕないしＨｗにはんだ付け等により接合されて取り付けられ、ダイオードＤｘないしＤｚはそれぞれのカソード電極がヒートシンクＨｕないしＨｗに接合されて取り付けられている。またサイリスタＴhuないしＴhwは、チップの一方の主面にアノード電極を、他方の主面にカソード電極Ｋとゲート電極Ｇとをそれぞれ有していて、それぞれのアノード電極がヒートシンクＨｕないしＨｗに接合されている。図示のサイリスタＴhuないしＴhwにおいては、カソード電極Ｋがほぼ正方形状を呈するように設けられていて、カソード電極の１つのコーナー部に形成された切欠き部にゲート電極Ｇが形成されている。
【００１０】
ダイオードＤｕないしＤｗのそれぞれのカソード電極は２本のボンディングワイヤＷ1a及びＷ1bを通してコンバータ回路の正極側出力端子に接続されるリード端子Ｌ11ないしＬ13に接続されている。またサイリスタＴhuないしＴhwのそれぞれのカソード電極Ｋは、２本の主電流通電用のボンディングワイヤＷ2a及びＷ2bを通してダイオードＤｘないしＤｚのアノード電極ａに接続されるとともに帯板状の導電フレームＦに接続されている。サイリスタＴhuないしＴhwのゲート電極Ｇはそれぞれ、ボンディングワイヤＷ2a及びＷ2bよりも径が小さいゲート信号供給用ワイヤＷ3を通してゲート信号入力端子を構成するリード端子ＬguないしＬgwに接続されている。
【００１１】
ヒートシンクＨｕないしＨｗからは３相の交流入力端子に接続されるリード端子ＬｕないしＬｗが導出され、導電フレームＦからはコンバータ回路の負極側出力端子に接続されるリード端子Ｌ21及びＬ22が導出されている。またヒートシンクＨｕないしＨｗと、ダイオードＤｕないしＤｗ及びＤｘないしＤｚと、サイリスタＴhuないしＴhwと、各ワイヤと、導電フレームＦと、リード端子Ｌ11〜Ｌ13，Ｌ21，Ｌ22，Ｌｕ〜Ｌｗ及びＬgu〜Ｌgwの基部とを被覆するようにモールド樹脂からなるパッケージＰが形成されている。
【特許文献１】特開２００１−２３１１８０号公報
【特許文献２】特開平１０−８４１０８号公報
【発明の開示】
【発明が解決しようとする課題】
【００１２】
従来のこの種の装置では、各サイリスタのゲート電極にボンディングされるゲート信号供給用ワイヤとして、各サイリスタのカソード電極にボンディングされる主電流通電用ワイヤよりも径が細いものが用いられていた。これは、ゲート電極を通して流れる電流が微少であることと、ゲート電極の面積が小さく、カソード電極にボンディングされるワイヤと同じ大径ワイヤをゲート電極にボンディングすることが困難なことによる。そのため、従来のバッテリー充電制御装置のコンバータ回路部を製造する際には、異なる太さの２種類のボンディングワイヤをサイリスタのチップに接続する必要があり、１台のワイヤボンダを用いる場合には、ワイヤボンディングを行う行程の途中でワイヤを交換する作業が必要になって、作業能率が低下するという問題があった。また径が大きいワイヤをボンディングするワイヤボンダと、径が小さいワイヤをボンディングするワイヤボンダとの複数台のワイヤボンダを使用することもあるが、この場合は、径が大きいワイヤのボンディングを行うワイヤボンダのマシンタイムと、径が小さいワイヤのボンディングを行うワイヤボンダのマシンタイムとが異なる（ボンディングするワイヤの数が大幅に異なる）ため、両ワイヤボンダのマシンタイムのマッチングがとれず、設備の利用効率が悪くなるのを避けられなかった。
【００１３】
本発明の目的は、サイリスタのゲート電極にボンディングするワイヤ及びカソード電極にボンディングするワイヤとして同一のものを用いることができるようにして生産性の向上と設備の利用効率の向上とを図ることができるようにしたバッテリ充電制御装置を提供することにある。
【課題を解決するための手段】
【００１４】
本発明は、一方の主面にアノード電極を有し、他方の主面にカソード電極とゲート電極とを有するチップ型のサイリスタを出力制御用の制御素子として備えていて、磁石式交流発電機から得られる交流出力を直流出力に変換してバッテリに供給するコンバータ回路と、バッテリの両端の電圧を設定値以下に保つようにサイリスタを制御する制御部とを備えたバッテリ充電制御装置を対象とする。
【００１５】
本発明が対象とするバッテリ充電制御装置においては、コンバータ回路に設けられた各サイリスタのゲート電極にゲート信号入力用外部端子につながるゲート信号供給用ワイヤがボンディングされるとともに、各サイリスタのカソード電極上の複数のボンディング点にそれぞれ複数の主電流通電用ワイヤがボンディングされている。
【００１６】
本発明においては、各サイリスタのゲート電極が、主電流通電用ワイヤと径が同一のワイヤをボンディングし得る面積を有するように形成され、各サイリスタのゲート電極にボンディングされたゲート信号供給用ワイヤが、各サイリスタのカソード電極にボンディングされた主電流通電用ワイヤと径が同一のワイヤからなっている。
【００１７】
上記のように構成すると、サイリスタのカソード電極にボンディングするワイヤ及びゲート電極にボンディングするワイヤとして同一のものを用いることができるため、途中でワイヤの交換を行うことなく１台のワイヤボンダを用いてカソード電極へのワイヤボンディングとゲート電極へのワイヤボンディングとを行うことができ、生産性を向上させることができる。また複数台のワイヤボンダを用いる場合でも、各ワイヤボンダのマシンタイムをほぼ同じにすることができるため、設備の利用効率を高めることができる。
【００１８】
本発明の好ましい態様では、複数の主電流通電用ワイヤがボンディングされた各サイリスタのカソード電極上の複数のボンディング点が、各サイリスタのゲート電極からの距離が等しい位置に設定される。
【００１９】
チップ型のサイリスタにおいては、ゲート電極に入力されたターンオン信号がＰ型領域内をゲート電極から離れる方向に伝搬しながら、オン状態になる領域を拡大していくため、複数の主電流通電用ワイヤをボンディングした各サイリスタのカソード電極上の複数のボンディング点がゲート電極から異なる距離にあると、ターンオン信号が与えられた際に先ずゲート電極に近いボンディング点にボンディングされたワイヤに集中的に電流が流れ、次いでゲート電極から遠いボンディング点にボンディングされた他のワイヤに電流が分流する。このように特定のワイヤに電流が集中すると、そのワイヤにかかる負担が大きくなるため、ワイヤの寿命が短くなり、信頼性が低下する。またチップ内でも、特定のワイヤに集中して電流が流れる際にそのワイヤのボンディング点付近で電流の集中が生じるため、チップの寿命が低下し、信頼性が低下する。
【００２０】
そこで上記のように、複数の主電流通電用ワイヤがボンディングされるサイリスタのカソード電極上の複数のボンディング点を、ゲート電極からの距離が等しい位置に設定すると、サイリスタのターンオン時に複数のワイヤに同時に電流を流すことができるため、サイリスタのターンオン時に特定のワイヤに電流が集中して、特定のワイヤの寿命が短くなるのを防ぐことができる。またサイリスタチップ内で極端な電流の集中が生じてチップの寿命が短くなるのを防ぐことができるため、バッテリ充電装置の信頼性を高めることができる。
【００２１】
本発明の好ましい態様では、各サイリスタのゲート電極が、各サイリスタのチップの他方の主面の中央に設けられ、各サイリスタのゲート電極を囲むようにカソード電極が設けられる。
【００２２】
上記のようなセンターゲート型のサイリスタを用いると、ゲート電極に与えられたターンオン信号がサイリスタの各部に伝達される時間を短くしてサイリスタ全体がオン状態になるまでの時間を短くすることができ、高周波でのサイリスタの動作特性を改善することができるため、発電機の高速回転時のバッテリ充電制御装置の制御特性を改善することができる。
【発明の効果】
【００２３】
以上のように、本発明によれば、サイリスタのゲート電極の面積を拡大して、サイリスタのカソード電極にボンディングするワイヤと同径のワイヤをゲート電極にボンディングすることができるようにしたため、サイリスタのカソード電極にボンディングするワイヤ及びゲート電極にボンディングするワイヤとして同一のものを用いることができる。そのため、途中でワイヤの交換を行うことなく１台のワイヤボンダを用いてカソード電極へのワイヤボンディングとゲート電極へのワイヤボンディングとを行うことができ、生産性を向上させることができる。また複数台のワイヤボンダを用いる場合でも、各ワイヤボンダのマシンタイムをほぼ同じにすることができるため、設備の利用効率を高めることができる。
【発明を実施するための最良の形態】
【００２４】
以下図面を参照して本発明の好ましい実施形態を詳細に説明する。
図１は本発明の実施形態の電気的な構成を示した回路図である。同図において１は車両を駆動する内燃機関により駆動される磁石式交流発電機の固定子に設けられた電機子巻線で、この電機子巻線は星形結線された３相のコイル１ｕないし１ｗからなっている。２は整流機能と電圧調整機能とを有するコンバータ回路で、このコンバータ回路は、カソード電極が共通接続されたダイオードＤｕないしＤｗと、ダイオードＤｕないしＤｗのアノードにそれぞれカソードが接続されるとともにアノードが共通接続されたダイオードＤｘないしＤｚとからなる３相ダイオードブリッジ全波整流回路と、出力短絡用のサイリスタＴhu，Ｔhv及びＴhwとからなっている。整流回路のブリッジの上辺を構成するダイオードＤｕないしＤｗのアノードとブリッジの下辺を構成するダイオードＤｘないしＤｚのカソードとの接続点からコンバータ回路の３相の交流入力端子２ｕないし２ｗが導出され、これらの入力端子に電機子コイル１の３相の出力端子が接続されている。また整流回路のブリッジの上辺を構成するダイオードのカソードの共通接続点及びブリッジの下辺を構成するダイオードのアノードの共通接続点からそれぞれコンバータ回路の正極側直流出力端子２ｐ及び負極側直流出力端子２ｎが導出されている。
【００２５】
出力短絡用サイリスタＴhuないしＴhwのアノードはそれぞれコンバータ回路の３相の交流入力端子２ｕないし２ｗに接続され、カソードは負極側直流出力端子２ｎに共通接続されている。
【００２６】
コンバータ回路の直流出力端子２ｐ，２ｎ間には負極が接地されたバッテリ３が接続され、バッテリ３の両端には電源スイッチ５を通して負荷４が接続されている。
【００２７】
６はバッテリ３の両端の電圧を設定値以下に保つように制御する制御部で、この制御部は、バッテリの両端の電圧を検出する電圧検出回路７と、電圧検出回路７により検出された電圧が設定値を超えたときにサイリスタＴhuないしＴhwをオン状態にするサイリスタトリガ回路８とにより構成されている。
【００２８】
電圧検出回路７は、バッテリ３の正極端子に一端が接続された抵抗器Ｒ1と、抵抗器Ｒ1の他端にカソード電極が接続されたツェナーダイオードＺＤ1と、ツェナーダイオードＺＤ1のアノード電極とバッテリの負極端子との間に接続された抵抗器Ｒ2とからなっている。この電圧検出回路においては、バッテリ３の両端の電圧が設定値以下のときにツェナーダイオードＺＤ1が導通せず、バッテリ３の両端の電圧が設定値を超えたときにツェナーダイオードＺＤ1が導通するように、抵抗器Ｒ1及びＲ2の抵抗値とツェナーダイオードＺＤ1のツェナー電圧とが設定されている。
【００２９】
サイリスタトリガ回路８は、抵抗器Ｒ1とツェナーダイオードＺＤ1のカソード電極との接続点にベースが接続され、エミッタがバッテリの正極端子に接続されたＰＮＰトランジスタと、サイリスタＴhuないしＴhwのゲートに一端が接続され、他端がトランジスタＴＲ1のコレクタに共通接続された抵抗器ＲuないしＲwとからなっている。
【００３０】
この例では、コンバータ回路２と、電圧検出回路７及びサイリスタトリガ回路８からなる制御部６とにより、磁石式交流発電機の出力でバッテリ３を充電するバッテリ充電制御装置が構成されている。
【００３１】
図１に示したバッテリ充電制御装置において、磁石式交流発電機が運転されると、電機子コイル１の３相交流出力がコンバータ回路２内の整流回路により整流されてバッテリ３に供給される。バッテリ３の両端の電圧が設定値以下のときにはツェナーダイオードＺＤ1が導通しないため、トランジスタＴＲ1はオフ状態に保持される。このときサイリスタＴhuないしＴhwにはトリガ信号が与えられないため、これらのサイリスタはオフ状態に保持される。
【００３２】
バッテリ３の両端の電圧が設定値を超えると、ツェナーダイオードＺＤ1が導通するため、トランジスタＴＲ1にベース電流が流れてこのトランジスタがオン状態になる。これによりサイリスタＴhuないしＴhwにトリガ信号が与えられるため、サイリスタＴhuないしＴhwはそれぞれのアノード電極カソード電極間に順方向電圧が印加される期間オン状態になる。サイリスタＴhuないしＴhwのいずれかがオン状態になると、オン状態になったサイリスタと整流回路内のダイオードＤxないしＤｚのいずれかとを通して発電機の出力が短絡される。例えばコンバータ回路のＵ相の入力端子２ｕの電位がＶ相の入力端子の電位及びＷ相の入力端子の電位よりも高い期間は、サイリスタＴhuがオン状態になり、サイリスタＴhuとダイオードＤｙまたはＤｚとを通して発電機の出力が短絡される。これによりバッテリ３の充電が停止させられる。バッテリ３の両端の電圧が設定値よりも低くなると、サイリスタＴhuないしＴhwがオフ状態にされ、バッテリ３の充電が再開される。これらの動作の繰り返しによりバッテリ３の両端の電圧が設定値付近に保たれる。
【００３３】
上記のバッテリ充電制御装置で用いるコンバータ回路の構成の一例を図２（Ａ）及び（Ｂ）に示した。同図（Ａ）はコンバータ回路の全体的な構成を示す正面図、（Ｂ）は同図（Ａ）の右側面図である。
【００３４】
整流回路を構成するダイオードＤｕないしＤｗ及びＤｘないしＤｚは、チップの一方の主面及び他方の主面にそれぞれアノード電極ａ及びカソード電極ｋを有するチップ型のダイオードで、ダイオードＤｕないしＤｗのアノード電極がそれぞれヒートシンクＨｕないしＨｗにはんだ付け等により接合され、ダイオードＤｘないしＤｚのカソード電極がそれぞれヒートシンクＨｕないしＨｗにはんだ付け等により接合されている。
【００３５】
サイリスタＴhuないしＴhwは、図７に示したように、チップの一方の主面にアノード電極Ａを有し、他方の主面にカソード電極Ｋとゲート電極Ｇとを有するセンターゲート型のチップ型サイリスタで、それぞれのアノード電極ＡがヒートシンクＨｕないしＨｗにはんだ付け等により接合されている。各サイリスタのゲート電極Ｇは、チップの他方の主面の中央に設けられ、カソード電極Ｋはゲート電極Ｇを囲むように設けられている。本発明においては、各サイリスタのゲート電極Ｇの面積が、カソード電極Ｋにボンディングするワイヤと同径のワイヤをボンディングするために十分な面積を持つように拡大されている。なお図７においてＰ1及びＰ2はＰ型領域、Ｎ1及びＮ2はＮ型領域であり、Ｉnsは酸化珪素からなる絶縁膜である。サイリスタＴhuないしＴhwはそれぞれのアノード電極がヒートシンクＨｕないしＨｗにはんだ付けされて取り付けられている。
【００３６】
ダイオードＤｕないしＤｗのそれぞれのカソード電極は２本の主電流通電用ボンディングワイヤＷ1a及びＷ1bを通してコンバータ回路の正極側直流出力端子２ｐに接続されるリード端子Ｌ11ないしＬ13に接続されている。またサイリスタＴhuないしＴhwのそれぞれのカソード電極Ｋは、２本の主電流通電用ボンディングワイヤＷ2a及びＷ2bを通してダイオードＤｘないしＤｚのアノード電極ａに接続されるとともに帯板状の導電フレームＦに接続されている。サイリスタＴhuないしＴhwのゲート電極Ｇには主電流通電用ワイヤＷ2a及びＷ2bと同径のゲート信号供給用ワイヤＷ3の一端がボンディングされ、サイリスタＴhuないしＴhwのゲート電極に一端がボンディングされたワイヤＷ3のそれぞれの他端は、ゲート信号入力端子を構成するリード端子ＬguないしＬgwにボンディングされている。
【００３７】
本発明においては、図３に示したように、２本の主電流通電用ワイヤＷ2a及びＷ2bがそれぞれボンディングされたサイリスタのカソード電極Ｋ上のボンディング点Ｂa及びＢbが、ゲート電極Ｇからの距離が等しい位置に設定されている。即ち、ボンディング点Ｂaとゲート電極Ｇとの間の距離ｄと、ボンディング点Ｂbとゲート電極Ｇとの間の距離ｄとが等しく設定されている。
【００３８】
図６に示した従来のものと同様に、ヒートシンクＨｕないしＨｗからコンバータ回路の３相の交流入力端子２ｕないし２ｗに接続されるリード端子ＬｕないしＬｗが導出され、導電フレームＦからコンバータ回路の負極側出力端子に接続されるリード端子Ｌ21及びＬ22が導出されている。またヒートシンクＨｕないしＨｗと、これらのヒートシンクにそれぞれ取り付けられたダイオードＤｕないしＤｗ，ＤｘないしＤｚ及びサイリスタＴhuないしＴhwと、各ワイヤと、導電フレームＦと、リード端子Ｌ11〜Ｌ13，Ｌ21，Ｌ22，Ｌｕ〜Ｌｗ及びＬgu〜Ｌgwの基部とを被覆するようにモールド樹脂からなるパッケージＰが形成されている。
【００３９】
上記のように、ゲート電極の面積を拡大して、カソード電極にボンディングする主電流通電用ワイヤと同径のワイヤをゲート電極にボンディングするようにすると、サイリスタのカソード電極にボンディングするワイヤ及びゲート電極にボンディングするワイヤとして同一のものを用いることができるため、１台のワイヤボンダを用いて途中でワイヤの交換を行うことなくカソード電極へのワイヤボンディングとゲート電極へのワイヤボンディングとを行って生産性を向上させることができる。また複数台のワイヤボンダを用いる場合でも、各ワイヤボンダのマシンタイムをほぼ同じにすることができるため、設備の利用効率を高めることができる。
【００４０】
チップ型のサイリスタにおいては、ゲート電極に与えられたターンオン信号（ホール）がＰ型領域Ｐ2に沿ってゲート電極から離れる方向に伝搬していきながらオン状態になる領域を広げていくため、ゲート電極からの距離が等しい部分は同時にオン状態になる。従って、上記の実施形態のように、２本の主電流通電用ワイヤＷ2a，Ｗ2bがボンディングされるサイリスタのカソード電極上のボンディング点Ｂa，Ｂbを、ゲート電極Ｇからの距離が等しい位置に設定しておくと、各サイリスタのターンオン時にボンディング点Ｂa，Ｂbの部分を同時にオン状態にして、２本のワイヤＷ2a，Ｗ2bに同時に電流を流すことができ、サイリスタのターンオン時に特定のワイヤに電流が集中して特定のワイヤの寿命が短くなるのを防ぐことができる。またサイリスタチップ内で極端な電流の集中が生じてチップの寿命が短くなるのを防ぐことができるため、バッテリ充電装置の信頼性を高めることができる。
【００４１】
また上記のように、チップの他方の主面の中央にゲート電極Ｇが設けられるとともに、該ゲート電極を囲むようにカソード電極Ｋが設けられたセンターゲート型のものを用いた場合には、ゲート電極Ｇに与えられたターンオン信号がサイリスタの各部に伝達される時間を短くしてサイリスタ全体がオン状態になるまでの時間を短くすることができるため、高周波でのサイリスタの動作特性を改善して発電機の高速回転時のバッテリ充電制御装置の制御特性を改善することができる。
【００４２】
上記の実施形態では、センターゲート型のサイリスタを用いたが、図４及び図５に示すように、チップの他方の主面の大部分に正方形状のカソード電極Ｋを設け、カソード電極Ｋの１つのコーナー部に設けた切欠き部にゲート電極Ｇを設けたコーナーゲート型のサイリスタを用いる場合にも、カソード電極Ｋにボンディングする主電流通電用ワイヤと同径のワイヤをゲート電極Ｇにボンディングすることができるように、ゲート電極Ｇの面積を拡大しておくことにより本発明の目的を達成することができる。
【００４３】
またこの場合も、２本の主電流通電用ワイヤＷ2a及びＷ2bをボンディングするカソード電極Ｋ上の２つのボンディング点Ｂa及びＢbをゲート電極からの距離ｄが等しい位置に設定しておくことにより、特定の主電流通電用ワイヤに電流が集中して特定のワイヤの寿命が短くなるのを防ぐことができる。
【００４４】
上記の各実施形態では、サイリスタのカソード電極に２本の主電流通電用ワイヤをボンディングしているが、サイリスタのカソード電極に更に多くのワイヤをボンディングする場合にも本発明を適用することができる。
【００４５】
上記の実施形態では、コンバータ回路として、ダイオードブリッジ全波整流回路と短絡用サイリスタを用いた短絡制御式のレギュレータとを組み合わせたものを用いたが、コンバータ回路は、整流出力を制御し得る構成を有するものであればよく、ダイオードとサイリスタとからなる混合ブリッジ整流回路（例えばブリッジの下辺をサイリスタにより構成し、上辺をダイオードにより構成した整流回路）によりコンバータ回路を構成することもできる。混合ブリッジ整流回路によりコンバータ回路を構成する場合、制御部は、バッテリの両端の電圧を設定値付近の値に保つようにサイリスタの導通角を制御するように構成される。
【００４６】
上記の実施形態では、磁石式交流発電機として電機子巻線が３相のコイルにより構成されるものを用いたが、単相の磁石式交流発電機を用いる場合にも本発明を適用することができる。
【図面の簡単な説明】
【００４７】
【図１】本発明の実施形態の電気的な構成を示した回路図である。
【図２】（Ａ）は本発明の実施形態で用いるコンバータ回路の構成例を示した正面図である。（Ｂ）は（Ａ）の右側面図である。
【図３】図２に示したコンバータ回路で用いるサイリスタチップの部分の拡大正面図である。
【図４】（Ａ）は図１に示した実施形態で用いるコンバータ回路の他の構成例を示した正面図である。（Ｂ）は（Ａ）の右側面図である。
【図５】図４に示したコンバータ回路で用いるサイリスタチップの部分の拡大正面図である。
【図６】（Ａ）は従来のバッテリ充電制御装置で用いていたコンバータ回路の構成例を示した正面図である。（Ｂ）は（Ａ）のサイリスタチップ部分を拡大して示した正面図である。
【図７】センタゲート電極型のサイリスタの構造を概略的に示した断面図である。
【符号の説明】
【００４８】
１  磁石式交流発電機の電機子巻線
２  コンバータ回路
３  バッテリ
６  制御部
７  電圧検出回路
８  サイリスタトリガ回路
ＤｕないしＤｗ  ダイオード
ＤｘないしＤｚ  ダイオード
ＴhuないしＴhw  サイリスタ
Ｗ2a，Ｗ2b  主電流通電用ワイヤ
Ａ  アノード電極
Ｋ  カソード電極
Ｇ  ゲート電極
Ｂa，Ｂb  ボンディング点
【図１】
2006081314.tif 000003
【図２】
2006081314.tif 000004
【図３】
2006081314.tif 000005
【図４】
2006081314.tif 000006
【図５】
2006081314.tif 000007
【図６】
2006081314.tif 000008
【図７】
2006081314.tif 000009